(57)【要約】【課題】  半田付け部分にクラックが入るのを完全に防止すること。【解決手段】  本発明によるリード実装方法は、端子と接続されるべきリードをプリント基板（１１）の主面（１１ａ）上に実装する方法であって、平板状のリードを用意し、この平板状のリードを、プリント基板の主面上に搭載すべき搭載部分（２１ａ；２２ａ）と端子と接続すべき接続部分（２１ｂ；２２ｂ）とが互いに直交するように、Ｌ字形に折り曲げて、Ｌ字形リード（２１；２２）を得、このＬ字形リードの搭載部分（２１ａ；２２ａ）を半田付けによりプリント基板（１１）の主面（１１ａ）上に接続固定する。【選択図】      図１
2006277970.tif 000002
【特許請求の範囲】
【請求項１】
端子と接続されるべきリードをプリント基板の主面上に実装する方法であって、
平板状のリードを用意するステップと、
該平板状のリードを、前記プリント基板の主面上に搭載すべき搭載部分と前記端子と接続すべき接続部分とが互いに直交するように、Ｌ字形に折り曲げて、Ｌ字形リードを得るステップと、
該Ｌ字形リードの前記搭載部分を半田付けにより前記プリント基板の主面上に接続固定するステップと、
を含むことを特徴とするリード実装方法。
【請求項２】
前記端子が二次電池の端子である、請求項１に記載のリード実装方法。
【請求項３】
前記リードがニッケルリードである、請求項１に記載のリード実装方法。
【請求項４】
互いに対向する主面及び裏面を持つプリント基板と、
前記プリント基板の主面上に搭載され、二次電池を保護するための保護回路と、
前記プリント基板の主面上に搭載され、前記保護回路の制御により前記二次電池の放電及び充電をオン／オフするスイッチング手段と、
前記プリント基板の主面上に搭載され、前記二次電池の陽極端子及び陰極端子と接続されるべき一対のＬ字形リードとを備えた二次電池保護モジュールであって、
前記一対のＬ字形リードの各々は、予め平板状のリードをＬ字形に折り曲げた状態で、前記プリント基板の主面上に半田付けにより実装されていることを特徴とする二次電池保護モジュール。
【請求項５】
前記プリント基板の裏面に搭載された一対の外部接続端子を更に有する、請求項４に記載の二次電池保護モジュール。
【請求項６】
前記一対のＬ字形リードの各々は、前記プリント基板上に搭載される搭載部を有し、該搭載部の折り曲げる方向の長さが、前記プリント基板上に形成されているランドの長さ以下であることを特徴とする、請求項４又は５に記載の二次電池保護モジュール。
【発明の詳細な説明】
【技術分野】
【０００１】
本発明は、リチウムイオン電池等の充電可能な電池（二次電池）を保護するための保護回路を備えた二次電池保護モジュールに関し、特に、二次電池の端子等の端子と接続されるべきリードのプリント基板への実装方法に関する。
【背景技術】
【０００２】
二次電池の内、特にリチウムイオン電池は、過放電、過充電に弱いため、過放電状態、過充電状態を検出して、過放電状態及び過充電状態から二次電池を保護するための保護回路が不可欠である。従って、この二次電池保護回路は、過放電防止機構と過充電防止機構とを備えている。このような二次電池保護回路は、例えば、特許文献１や特許文献２に開示されている。通常、二次電池保護回路として、ＩＣチップ（保護ＩＣ）が用いられている。
【０００３】
このような二次電池保護回路（保護ＩＣ）はプリント基板（回路基板）上に搭載される（例えば、特許文献３参照）。プリント基板上には、また、放電制御スイッチおよび充電制御スイッチとして動作するパワーＭＯＳＦＥＴ（パワーＩＣ）や、抵抗器及びコンデンサなどの複数の電子部品が搭載される。プリント基板、二次電池保護回路、パワーＭＯＳＦＥＴ、及び複数の電子部品の組み合わせは、二次電池保護モジュールと呼ばれる。
【０００４】
この二次電池保護モジュールは、リチウムイオン電池等の二次電池の端子と電気的に接続される。二次電池保護モジュールと二次電池との組み合わせは、電池パックと呼ばれる。
【０００５】
二次電池は、端子として、陽極端子と陰極端子とを持つ。この二次電池の陽極端子及び陰極端子と電気的に接続するために、二次電池保護モジュールは、プリント基板上に一対のリードを備えている。各リードは、例えば、ニッケルリードから成る。一対のリードにおいて、二次電池の陽極端子と接続されるリードは陽極リードと呼ばれ、二次電池の陰極端子と接続されるリードは陰極リードと呼ばれる。
【０００６】
一方、負荷又は充電器と接続するために、二次電池保護モジュールは、プリント基板上に一対の外部接続端子を備えている。一対の外部接続端子において、一方は正極端子であり、他方は負極端子である。
【０００７】
詳述すると、図３に示されるように、従来の二次電池保護モジュール１０Ａにおいて、プリント基板（回路基板）１１は、互いに対向する主面１１ａ及び裏面１１ｂを持つ。プリント基板１１の主面１１ａ上には、上述した二次電池保護回路（保護ＩＣ）、パワーＭＯＳＦＥＴ（パワーＩＣ）、複数の電子部品、及び一対のリード（陽極リード、陰極リード）２１Ａ（図３では陽極リードのみ図示する）が搭載される。一方、プリント基板１１の裏面１１ａ上には、上述した一対の外部接続端子（正極端子、負極端子）等が搭載される。陽極リード２１Ａと陰極リードとの間に、プリント基板１１の内部配線を介して、二次電池保護回路（保護ＩＣ）が接続される。陰極リードと負極端子との間に、プリント基板の内部配線を介して、パワーＭＯＳＦＥＴ（パワーＩＣ）が接続される。
【０００８】
二次電池の陽極端子及び陰極端子と接続される一対のリード２１Ａの各々は、図３に示されるように、Ｌ字形の形状をしている。すなわち、Ｌ字形リード２１Ａは、プリント基板１１の主面１１ａ上に実装（搭載）される搭載部分２１Ａａと、二次電池の端子（陽極端子又は陰極端子）と接続されるべき接続部分２１Ａｂとから成る。
【０００９】
従来においては、次のような手順で、Ｌ字形リード２１Ａをプリント基板１１の主面１１ａ上に実装している。尚、プリント基板１１の主面１１ａ上にはランド５０が形成されている。すなわち、先ず平板状のリードを用意する。平板状のリードの搭載部分２１Ａａを、半田５０付けにより、プリント基板１１の主面１１ａのランド５０上に接続固定する。その後に、平板状のリードの接続部分２１Ａｂを搭載部分２１Ａａに対して９０°（直角）に折り曲げて、Ｌ字形リード２１Ａに成形する。
【００１０】
【特許文献１】特許第２８７２３６５号公報
【特許文献２】特開２００１−１６９４７７号公報
【特許文献３】特開２００１−２６８８０８号公報
【発明の開示】
【発明が解決しようとする課題】
【００１１】
上述したように、従来の二次電池保護モジュール１０Ａでは、リードをプリント基板１１の主面１１ａ上に実装する場合、平板状のリードを半田５２付けによりプリント基板１１の主面１１ａのランド５０上に接続固定した後に、平板状のリードを９０°に折り曲げて、Ｌ字形リード２１Ａに成形している。
【００１２】
このようなリード実装方法では、平板状のリードを９０°に折り曲げる際に、半田５０付け部分にクラックが入る虞がある。このクラックが入るのを出来るだけなくすために、従来においては、図３に示されるように、平板状のリードをランド５０の縁から所定距離離間した位置で折り曲げている。従って、搭載部２１Ａａの折り曲げ方向の長さＬｍ′は、ランド５０の長さＬｌよりも長くなる。
【００１３】
しかしながら、たとえ平板状のリードをランド５０の縁から離れた位置で折り曲げたとしても、平板状のリードを折り曲げる際に、半田５２にはランド５０から半田５２を引き剥がす方向の力が作用する。その結果、半田５２にクラックが入るのを完全になくすことは困難である。
【００１４】
したがって、本発明の課題は、半田付け部分にクラックが入るのを完全に防止することができる、リードの実装方法およびそのようなリードを実装した二次電池保護モジュールを提供することにある。
【課題を解決するための手段】
【００１５】
本発明の第１の態様によれば、端子と接続されるべきリードをプリント基板（１１）の主面（１１ａ）上に実装する方法であって、平板状のリードを用意するステップと、該平板状のリードを、前記プリント基板の主面上に搭載すべき搭載部分（２１ａ；２２ａ）と前記端子と接続すべき接続部分（２１ｂ；２２ｂ）とが互いに直交するように、Ｌ字形に折り曲げて、Ｌ字形リード（２１；２２）を得るステップと、該Ｌ字形リードの前記搭載部分（２１ａ；２２ａ）を半田（５２）付けにより前記プリント基板（１１）の主面（１１ａ）上に接続固定するステップと、を含むことを特徴とするリード実装方法が得られる。
【００１６】
上記本発明の第１の態様に係るリード実装方法において、前記端子は、例えば、二次電池の端子であって良く、前記リードは、例えば、ニッケルリードであって良い。
【００１７】
又、本発明の第２の態様によれば、互いに対向する主面（１１ａ）及び裏面（１１ｂ）を持つプリント基板（１１）と、前記プリント基板の主面上に搭載され、二次電池を保護するための保護回路（１２）と、前記プリント基板の主面上に搭載され、前記保護回路の制御により前記二次電池の放電及び充電をオン／オフするスイッチング手段（１３）と、前記プリント基板の主面上に搭載され、前記二次電池の陽極端子及び陰極端子と接続されるべき一対のＬ字形リード（２１，２２）とを備えた二次電池保護モジュール（１０）であって、前記一対のＬ字形リード（２１，２２）の各々は、予め平板状のリードをＬ字形に折り曲げた状態で、前記プリント基板（１１）の主面（１１ａ）上に半田（５２）付けにより実装されていることを特徴とする二次電池保護モジュール（１０）が得られる。
【００１８】
上記本発明の第２の態様に係る二次電池保護モジュールにおいて、前記プリント基板（１１）の裏面（１１ｂ）上に搭載された一対の外部接続端子（３１，３２）を更に有して良い。又、前記一対のＬ字形リード２１は、前記プリント基板１１上に搭載される搭載部２１ａを有し、該搭載部２１ａの折り曲げる方向の長さ（Ｌｍ）が、前記プリント基板上に形成されているランド（５０）の長さ（Ｌｌ）以下であることが好ましい。
【００１９】
尚、上記括弧内の符号は、本発明の理解を容易にするために付したものであり、一例にすぎず、これらに限定されないのは勿論である。
【発明の効果】
【００２０】
本発明では、平板状のリードを予めＬ字形にしてからプリント基板の主面上に半田付けにより実装するので、半田付け部分にクラックが入るのを完全に防止することができる。
【発明を実施するための最良の形態】
【００２１】
以下、図面を参照して、本発明の実施の形態について詳細に説明する。
【００２２】
図１を参照して、本発明の一実施の形態に係るリード実装方法が適用される二次電池保護モジュール１０について説明する。図１において、（Ａ）は二次電池保護モジュール１０の平面図、（Ｂ）は二次電池保護モジュール１０の裏面図、（Ｃ）は二次電池保護モジュール１０の正面図、（Ｄ）は二次電池保護モジュール１０の側面図である。
【００２３】
二次電池保護モジュール１０は、後述するように、リチウムイオン電池等の二次電池（図示せず）と電気的に接続される。二次電池は陽極端子と陰極端子とを持つ。二次電池保護モジュール１０と二次電池との組み合わせは、電池パックと呼ばれる。
【００２４】
二次電池保護モジュール１０は、プリント基板１１を備えている。プリント基板１１は、互いに対向する主面１１ａ及び裏面１１ｂを持つ。図示のプリント基板１１の厚さは、約０．７ｍｍである。
【００２５】
プリント基板１１の主面１１ａ上には、二次電池保護回路（保護ＩＣ）１２、放電制御スイッチおよび充電制御スイッチとして動作するパワーＭＯＳＦＥＴ（パワーＩＣ）１３や、抵抗器及びコンデンサなどの複数の電子部品１４が搭載されている。
【００２６】
二次電池保護回路１２は、二次電池の過放電状態、過充電状態を検出して、過放電状態及び過充電状態から二次電池を保護するための回路である。パワーＭＯＳＦＥＴ１３は、二次電池保護回路１２の制御により二次電池の放電及び充電をオン／オフするスイッチング手段として働く。
【００２７】
二次電池の陽極端子及び陰極端子と電気的に接続するために、二次電池保護モジュール１０は、プリント基板１１の主面１１ａ上に一対のリード２１、２２を備えている。各リード２１、２２は、例えば、ニッケル成分が９９％含有するニッケルリードから成る。一対のリードにおいて、二次電池の陽極端子と接続されるリード２１は陽極リードと呼ばれ、二次電池の陰極端子と接続されるリード２２は陰極リードと呼ばれる。
【００２８】
一方、図１（Ｂ）に示されるように、負荷又は充電器と接続するために、二次電池保護モジュール１０は、プリント基板１１の裏面１１ｂ上に一対の外部接続端子３１、３２を備えている。一対の外部接続端子において、一方は正極端子３１で、他方は負極端子３２である。これら正極端子３１及び負極端子３２には金メッキが施されている。正極端子３１及び負極端子３２の厚さは、０．５μｍより厚い。
【００２９】
陽極リード２１と陰極リード２２との間に、プリント基板１１の内部配線（図示せず）を介して、二次電池保護回路（保護ＩＣ）１２が接続される。陰極リード２２と負極端子３２との間に、プリント基板１１の内部配線（図示せず）を介して、パワーＭＯＳＦＥＴ（パワーＩＣ）１３が接続される。
【００３０】
図１（Ｄ）に示されるように、二次電池の陽極端子及び陰極端子と接続される一対のリード２１、２２の各々は、Ｌ字形の形状をしている。すなわち、Ｌ字形リード２１、２２は、それぞれ、プリント基板１１の主面１１ａ上に実装（搭載）される搭載部分２１ａ、２２ａと、二次電池の端子（陽極端子又は陰極端子）と接続される接続部分２１ｂ、２２ｂとから成る。
【００３１】
プリント基板１１の主面１１ａ上に搭載された回路部品、すなわち、二次電池保護回路１２、パワーＭＯＳＦＥＴ１３、電子部品１４は、樹脂４０によって封入される。
【００３２】
次に、図１に加えて図２をも参照して、本実施の形態による、プリント基板１１の主面１１ａ上にＬ字形リード２１、２２を実装するリード実装方法について説明する。プリント基板１１の主面１１ａ上には、ランド５０が形成されている。尚、図２では、陽極リード２１側のみを拡大して示しているが、陰極リード２２側も同様であるのは言うまでもない。
【００３３】
先ず、平板状のリードを２個準備（用意）する。次に、こられ２個の平板状のリードを、プリント基板１１の主面１１ａ上に搭載すべき搭載部分２１ａ、２２ａと、二次電池の端子（陽極端子及び陰極端子）と接続すべき接続部分２１ｂ、２２ｂとが互いに直交するように、Ｌ字形に折り曲げることによって、Ｌ字形リード２１、２２を得る。これらＬ字形リード２１、２２の搭載部分２１ａ、２２ａを、半田５２付けによりプリント基板１１の主面１１ａのランド５０上に接続固定する。このようにして、プリント基板１１の主面１１ａ上にＬ字形リード２１、２２を実装する。
【００３４】
このように、本実施の形態によるリード実装方法では、平板状のリードを予めＬ字形にしてからプリント基板１１の主面１１ａ上に実装するので、半田５０付けしてから平板状のリードを９０°に折り曲げる従来のリード実装方法に比較して、半田５２付け部分にクラックが入るのを完全に防止することができる。
【００３５】
尚、図２に示されるように、搭載部２１ａの折り曲げる方向の長さＬｍは、ランド５０の長さＬｌと実質的に等しい。
【００３６】
以上、本発明をその好ましい実施の形態によって説明してきたが、本発明は上述した実施の形態に限定しないのは勿論である。図２ではランド５０の長さＬｌと搭載部２１ａの長さＬｍとは等しくされているが、リードをより強固に取り付けるために搭載部２１ａの長さＬｍをランド５０の長さＬｌよりも若干短くしてフィレットを形成するようにしてもよい。
【００３７】
また、例えば、上記実施の形態では、リードとしてニッケルリードの例を挙げているが、リードの材料はニッケルには限定されない。また、上記実施の形態では、二次電池の端子（陽極端子及び陰極端子）と電気的に接続されるべきリードの実装方法のみを例に挙げて説明しているが、端子は二次電池の端子には限定されない。
【図面の簡単な説明】
【００３８】
【図１】本発明の一実施の形態に係るリード実装方法が適用される二次電池保護モジュールを示す図で、（Ａ）は二次電池保護モジュールの平面図、（Ｂ）は二次電池保護モジュールの裏面図、（Ｃ）は二次電池保護モジュールの正面図、（Ｄ）は二次電池保護モジュールの側面図である。
【図２】図１に示した二次電池保護モジュールの断面図である。
【図３】従来の二次電池保護モジュールの断面図である。
【符号の説明】
【００３９】
１０    二次電池保護モジュール
１１    プリント基板
１１ａ    主面
１１ｂ    裏面
１２    二次電池保護回路（保護ＩＣ）
１３    パワーＭＯＳＦＥＴ（パワーＩＣ）
１４    電子部品
２１、２２    リード（ニッケルリード）
３１、３２    一対の外部接続端子
２１ａ、２２ａ    搭載部分
２１ｂ、２２ｂ    接続部分
４０    樹脂
５０    ランド
５２    半田
【図１】
2006277970.tif 000003
【図２】
2006277970.tif 000004
【図３】
2006277970.tif 000005